(57)【要約】【課題】端末の外側から操作できるキーを設けた場合でも、筐体の厚みを抑え、持ち運びやすさを損なわない携帯型決済端末装置を提供する。【解決手段】筐体の表面側を構成する表面側筐体部と、前記筐体の内部に配置された制御基板と、前記制御基板の端部に設けられたスイッチと、前記筐体の裏面側を構成し、側壁に貫通穴を有する下ケースと、前記筐体に保持されて前記スイッチを押下可能なキーとを備え、前記キーは、前記下ケースと前記表面側筐体部との間で、前記貫通穴の開口面と直交する方向に進退可能に挟持されることを特徴とする。【選択図】図３
2020119349.tif 000002
【特許請求の範囲】
【請求項１】
筐体の表面側を構成する表面側筐体部と、
前記筐体の内部に配置された制御基板と、
前記制御基板の端部に設けられたスイッチと、
前記筐体の裏面側を構成し、側壁に貫通穴を有する下ケースと、
前記筐体に保持されて前記スイッチを押下可能なキーと
を備え、
前記キーは、
前記下ケースと前記表面側筐体部との間で、前記貫通穴の開口面と直交する方向に進退可能に挟持されることを特徴とする携帯型決済端末装置。
【請求項２】
前記表面側筐体部は、
前記キーの一部と、前記開口面と直交する方向で重なる第１リブを有することを特徴とする請求項１に記載の携帯型決済端末装置。
【請求項３】
前記キーの前記開口面と直交する方向における前記スイッチ側には弾性部材が貼り付けられており、
前記キーは、前記下ケース及び前記表面側筐体部に引っ掛かる第２リブによって前記下ケースから抜け落ちることが防止されることを特徴とする請求項１または２に記載の携帯型決済端末装置。
【請求項４】
前記表面側筐体部は、決済機能を実行可能なＰＩＮＰＡＤであり、
前記第１リブは、前記ＰＩＮＰＡＤと前記下ケースとの間を封止する防塵リブであることを特徴とする請求項２に記載の携帯型決済端末装置。
【発明の詳細な説明】
【技術分野】
【０００１】
本発明は、決済機能を有する携帯型端末装置に関する。
【背景技術】
【０００２】
従来から、携帯型決済端末装置の外側から操作ができるキーを外観ケースの貫通穴を使用して、摺動可能に固定する構造は広く使用されている。
【０００３】
従来から、携帯型読取装置は、操作性、持ち運び易さを高めるため、薄型化かつ小型化が求められている。従来、キーの押し子は、ケースの外側から弾性部材を挟んだ接着テープによりケースの凹座に貼り付けていたが、経年劣化により剥がれることが懸念されていた。
【０００４】
また、キーの押し子が摺動する摺動面はケース等の１部品で構成しており、ケースの摺動面の構造が必要になるため、ケースと基板の相対位置が決まっていた。そのため、薄型化を阻害する原因の一つとなっていた。
【０００５】
例えば特許文献１には、フロントケースの側壁がリアケースの側壁よりも内側に位置するようにリアケースがフロントケースに組み合わされ、そのリアケースの側壁に設けられた貫通孔に挿入されて貫通孔の延在方向に可動し、リアケースの側壁内面よりもリアケースの内側に突出した突出部を有するボタンが設けられている。そして、フロントケースの側壁に設けられた貫通孔には、ボタンが押下されることに伴ってスイッチを押下する為の弾性部材が設けられている。
【先行技術文献】
【特許文献】
【０００６】
【特許文献１】特開２０１８−７８２６１号公報
【発明の概要】
【発明が解決しようとする課題】
【０００７】
しかしながら、特許文献１に記載の携帯端末装置では、リアケースの側壁の貫通孔によりボタンを保持し、フロントケースの側壁の貫通孔により弾性部材を保持している。そのため、フロントケースとリアケースを組み合わせる際にフロントケースの貫通孔形状を形成する肉厚分が必要となり、端末装置の厚み方向が増加してしまう原因となっている。
【０００８】
また、リアケースの側壁の貫通孔により保持されるボタンと、フロントケースの側壁の貫通孔により保持される弾性部材の２部品が必要になり部品点数が増える原因となっている。
【課題を解決するための手段】
【０００９】
本発明に係る携帯型決済端末装置は、上記を鑑み、
筐体の表面側を構成する表面側筐体部と、
前記筐体の内部に配置された制御基板と、
前記制御基板の端部に設けられたスイッチと、
前記筐体の裏面側を構成し、側壁に貫通穴を有する下ケースと、
前記筐体に保持されて前記スイッチを押下可能なキーと
を備え、
前記キーは、
前記下ケースと前記表面側筐体部との間で、前記貫通穴の開口面と直交する方向に進退可能に挟持されることを特徴とする。
【発明の効果】
【００１０】
本発明によれば、携帯型決済端末装置の下ケースにおいてキーを保持するための肉厚を低減し、筐体の厚みを低減することが可能となる。
【図面の簡単な説明】
【００１１】
【図１】本発明の一実施形態に係る携帯型決済端末装置の外観を示す斜視図。
【図２】本発明の一実施形態に係る携帯型決済端末装置において、ＰＩＮＰＡＤを取り外した状態の斜視図。
【図３】本発明の一実施形態に係る携帯型決済端末装置において、下ケースに制御基板とキーとを取り付けた状態を示す断面図。
【図４】本発明の一実施形態に係る携帯型決済端末装置におけるキーの拡大斜視図。
【図５】本発明の一実施形態に係る携帯型決済端末装置におけるＰＩＮＰＡＤの背面斜視図。
【図６】本発明の一実施形態に係る携帯型決済端末装置における印刷部の拡大図。
【発明を実施するための形態】
【００１２】
（第一実施形態）
以下、発明を実施するための形態について図面を参照しながら詳述する。本実施形態では、携帯型決済端末装置の一例として、ＰＩＮＰＡＤ付携帯端末装置を挙げる。
【００１３】
図１は、本発明の第一実施形態に係る携帯型決済端末装置１０の外観を示す斜視図である。図４はキー４０を押下した際に、キー４０を元の位置に戻すための第１弾性部材４５と第２弾性部材４６を示す。
【００１４】
＜全体構成＞
携帯型決済端末装置１０は、表面側にＰＩＮＰＡＤ３０を有している。このＰＩＮＰＡＤ３０は、外部との間で決済処理を行うための情報の入出力を行う機能を有しており、具体的には、ＰＩＮコードを入力するためのテンキーや、接触／非接触ＩＣカードのリーダライタ、磁気ストライプリーダが実装されていることで、決済機能が実行可能となっている。このＰＩＮＰＡＤ３０を端末装置に取り付けて、実行される決済処理に関する入出力を制御基板５０との間で行うことで、携帯型決済端末装置１０に対して簡易に決済機能を備えさせることができる。携帯型決済端末装置１０におけるＰＩＮＰＡＤ３０の上部には、ＰＩＮＰＡＤ３０によって行った決済処理に関する情報などを印刷可能な印刷部１１が設けられており、印刷部１１の外装を構成する上ケース６０は、下ケース２０に対して固定されている。
【００１５】
ＰＩＮＰＡＤ３０および印刷部１１の裏面側には、下ケース２０が一体に設けられている。本実施形態における携帯型決済端末装置１０においては、下ケース２０内に後述する制御基板５０などを配置し、その表面側に配置したＰＩＮＰＡＤ３０や印刷部１１を制御基板５０によって制御することで決済処理などの動作を実行することができる。また、決済処理に関する動作や電源のオンオフを制御するためのキー４０が、携帯型決済端末装置１０の筐体の下端部に設けられている。このように、下ケース２０および上ケース６０と表面側筐体部の一例としてのＰＩＮＰＡＤ３０によって、携帯型決済端末装置１０の外装を構成している。
【００１６】
図２は、本発明の第一実施形態に係る携帯型決済端末装置１０からＰＩＮＰＡＤ３０を取り外した状態を示す斜視図である。なお、下ケース２０はＰＩＮＰＡＤ３０の上端部に設けられた引っ掛け爪３４（図５参照）を、受け部２５に引っ掛けた状態で、ＰＩＮＰＡＤ３０の下端側に設けられたビス穴に貫通するビスをビス穴２６に挿通させることでＰＩＮＰＡＤ３０を固定する構造を有する。
【００１７】
携帯型決済端末装置１０は、下ケース２０に制御基板５０とキー４０を取り付けるための構造を有している。また、制御基板５０には側面押下式スイッチ５１が実装されている。キー４０は下ケース２０の表側の開口部から下ケースのリブ２２で囲まれた隙間に、図４に示すキー４０の内側（筐体の内部側。制御基板５０側）に貼り付けられた第１弾性部材４５と第２弾性部材４６を圧縮しながら組み込まれ、下ケース２０の側壁に設けられた貫通穴２３によって固定されている。本実施形態においては、キー４０は電源キーであり、キー４０を筐体外部から押下することで貫通穴２３内を進退し、キー４０先端が側面押下式スイッチ５１を押下することで、制御基板５０やＰＩＮＰＡＤ３０などの動作のオンオフを切り替えられる。
【００１８】
本実施形態においては、詳しくは後述するように、下ケース２０の貫通穴２３における表側の縁を形成する部分だけでキー４０を保持するようにはしておらず、キー４０が表面側に移動することを規制する構造を、ＰＩＮＰＡＤ３０のリアケース３１に設けている。この構成によって貫通穴２３の縁を形成する部分の肉厚を薄くすることができ、その分筐体の厚みを低減することができる。
【００１９】
＜キーの取り付け構造＞
キー４０は下ケース２０の貫通穴２３の延在方向に可動（摺動）し、制御基板５０に実装された側面押下式スイッチ５１を押下可能な構造である。なお、貫通穴２３の延在方向とは、貫通穴２３の開口面と直交する方向、すなわち、貫通穴２３の法線方向を意味するが、多少傾いていても同義である。
【００２０】
図３は、本発明の第一実施形態に係る携帯型決済端末装置１０のキー４０の構造を示す断面図である。この図に示すように、図３に示すキー４０におけるＰＩＮＰＡＤ側キー摺動部４１はＰＩＮＰＡＤ３０のリアケース３１の摺動面３２によって押さえられており、キー４０における下ケース側摺動部４２は下ケースの摺動面２１によって押さえられている。なお、図３はキー４０を外方に付勢する弾性部材（第１弾性部材４５または第２弾性部材４６）を説明のために省略している。
【００２１】
以下に、キー４０の筐体の厚み方向位置の自由度を保ちつつ、筐体の厚みを薄くする構造について記述する。本実施形態においては、キー４０の摺動部を支える摺動面の構造を、ＰＩＮＰＡＤ３０のリアケース３１の摺動面３２と下ケース２０の摺動面２１の２部品に設けられた摺動面に分かれることを特徴としている。そのため、キー４０のＰＩＮＰＡＤ側キー摺動部４１としては、ＰＩＮＰＡＤ３０のリアケース３１による摺動面があることで、下ケース２０による構造物によって摺動面を形成しなくて済み、下ケース２０において摺動面を作成する肉厚分の筐体の厚みを薄くすることが可能になる。
【００２２】
また、下ケース２０の摺動面の肉厚分のスペースを確保する必要が無いため、キー４０の筐体の厚み方向の位置の自由度を増すことが出来る。それに伴って、キー４０の位置に関係する、制御基板５０と側面押下式スイッチ５１の筐体の厚み方向の位置の自由度も増すことが出来る。
【００２３】
なお、ＰＩＮＰＡＤ３０は表面側筐体部の一例であり、キー４０の摺動面３２を設ける部材は、上ケースなどの下ケース２０以外の構造部品であれば良く、また、キー４０との間にシート状部材やゴム状の弾性体などの部材を介在させても良い。いずれにしても表面側筐体部と下ケース２０との間にキー４０が実質的に挟持され、貫通穴２３の開口面と直交する方向に進退可能になっていれば本発明の効果を奏すると言える。
【００２４】
図４は、キー４０が下ケース２０への引っ掛かり形状である下ケース側引っ掛かりリブ４４とＰＩＮＰＡＤ３０への引っ掛かり形状であるＰＩＮＰＡＤ側引っ掛かりリブ４３を有していることを示している。キー４０の一部であるＰＩＮＰＡＤ側引っ掛かりリブ４３は、ＰＩＮＰＡＤ３０の第１リブ３３とキー４０の移動方向に対して重なるように設けられている。また、下ケース側引っ掛かりリブ４４は、当接部２４とキー４０の移動方向に対して重なるように設けられている。
【００２５】
下ケース側引っ掛かりリブ４４とＰＩＮＰＡＤ側引っ掛かりリブ４３により、キー４０が第１弾性部材４５と第２弾性部材４６によって下ケース２０の貫通穴２３の延在方向の外側への力が加わっても、ＰＩＮＰＡＤ側引っ掛かりリブ４３がＰＩＮＰＡＤ３０の第１リブ３３に当接し、下ケース側引っ掛かりリブ４４が下ケースの当接部２４に当接することで、キー４０が下ケース２０の貫通穴２３から外れないようになっているため、経年劣化によりキー４０が外れたり、紛失したりすることを防ぐことが出来る。
【００２６】
このように、キー４０に設けられた２つの引っ掛かりリブ（第２リブ）がＰＩＮＰＡＤ３０および下ケース２０に引っ掛かることによってキー４０が抜け落ちることを簡易に防止することができる。また、第１弾性部材４５と第２弾性部材４６はキー４０に貼り付けられているため、キー４０を下ケース２０から分離することが容易になっている。
【００２７】
図５は、本実施形態に係る携帯型決済端末装置におけるＰＩＮＰＡＤ３０の裏面を示す背面斜視図である。図５に示すように、ＰＩＮＰＡＤ３０と下ケース２０とが当接する部分全体に亘って一体に防塵リブが設けられている。この防塵リブは、ＰＩＮＰＡＤ３０を下ケース２０に取り付けた際に、隙間が発生しないように下ケース２０との間を封止するものである。この防塵リブは、図３に示すように、キー４０に設けたＰＩＮＰＡＤ側引っ掛かりリブ４３と当接することでキー４０の脱落を防止する第１リブとして機能する。
【００２８】
以上説明したように、決済用のＰＩＮＰＡＤが一体になった携帯型決済端末装置では、鞄等に入れて持ち運びやすくするために筐体の厚みが大きく影響する。そして、筐体の側面にケースの貫通穴を利用して電源等のキーが配置されていることがある。従来、キーは外側から弾性部材を挟んだ接着シートによりケースに外側から貼り付けられていた。また、キーの摺動部はケースの貫通穴による摺動面の１部品のみで可動させていたため、ケースの摺動面の構造を作るための肉厚が必要となり、筐体の厚さを薄くすることを阻む要因となっていた。
【００２９】
本発明は、それに対し、携帯型決済端末装置において、キーの摺動部が可動する摺動面を、ケースとＰＩＮＰＡＤのリアケースとの２部品に分けることにより、従来、摺動面の構造を作っていたケースの肉厚を薄くすることが出来、筐体を薄く形成することが出来る。
【００３０】
また、摺動面がケースとＰＩＮＰＡＤの２部品に分離するため、従来ケースの外側から貼り付けて組み込んでいたキーを、ケースの上方の開口部から組込み、ケースの内側からケースの貫通穴に挿入することが出来る。
【００３１】
また、キーはケースとＰＩＮＰＡＤから抜けないよう引っ掛かり形状を有しているため、従来経年劣化や外側から加わる力等によって取れてしまう可能性のあったキーが取れてしまうのを防ぐことが出来る。
【００３２】
＜印刷部＞
図６は、本実施形態に係る携帯型決済端末装置１０における、印刷部１１の構造を示す斜視図である。図６（ａ）は説明のために制御基板５０を省略して図示している。印刷部１１は、内部に配置された用紙収納部１１２に配置された用紙をプラテンローラ１１３によって印刷ヘッド１１０に搬送して印刷を行う。
【００３３】
このプラテンローラ１１３を駆動する印刷モータ１１１は、印刷ヘッド１１０の板金に担持されている。印刷ヘッド１１０が下ケース２０から浮いてしまうと、印刷角度がずれてしまったりすることや印刷ヘッド１１０から排紙される排紙方向が変わってしまうことで排紙口からうまく排紙できなくなってしまうことがあるが、本実施形態においては、印刷ヘッド１１０を確実に下ケース２０に固定するために、押さえ用板金１２０を設けている。押さえ用板金１２０は、図６（ａ）に向かって左側に設けられる第１押さえ用板金１２１と、右側に設けられる第２押さえ用板金１２２とからなっている。
【００３４】
第１押さえ用板金１２１と第２押さえ用板金１２２とは、それぞれに設けられた押圧部と下ケース２０との間に印刷ヘッド１１０の被押圧部を介在させた状態で、下ケース２０に対してそれぞれビス１３１とビス１３２とを用いて固定される。印刷ヘッド１１０は、この構成によって、下ケース２０から浮くことなく固定することができる。なお、本実施形態においては、押さえ用板金１２０によって下ケース２０に対して固定された印刷ヘッド１１０を上ケース６０によって押さえながら上ケース６０を下ケース２０に対して固定することによって、印刷ヘッド１１０の固定をより強固にしている。
【００３５】
また、第１押さえ用板金１２１と第２押さえ用板金１２２とは、それぞれ第１導通部１２１ａと第２導通部１２２ａとを有している。第１導通部１２１ａと第２導通部１２２ａとは、いずれも押さえ用板金１２０の押圧部から、筐体表面側に対して板金を屈曲させて設けられている。
【００３６】
図６（ｂ）は、制御基板５０を搭載した状態を示している。そして、制御基板５０には、その上端部側（制御基板５０の印刷部１１側）に第１付勢バネ１５１と第２付勢バネ１５２とが設けられており、それぞれ第１導通部１２１ａと第２導通部１２２ａに当接している。なお、第１付勢バネ１５１は制御基板５０の裏面側に設けられているため、図示を省略している。
【００３７】
このように、本実施形態においては、印刷ヘッド１１０を下ケース２０に押圧する押さえ用板金１２０によって印刷ヘッド１１０と制御基板５０との間を接地することができる。
【００３８】
以上、本発明の一実施形態に係る発明を説明したが、本発明はこの実施形態に記載の構造に限るものではなく、種々の変更が可能である。
【００３９】
例えば、下ケース２０に対して貫通穴２３を設けてキー４０を貫通穴２３内部に挿通するものについて説明したが、これに限られず、貫通穴２３の代わりに、ＰＩＮＰＡＤ３０側を開放した切り欠き２３ａとしても良い。いずれにしても、キー４０における表側を保持するものがＰＩＮＰＡＤ３０などの表面側筐体部であれば良い。
【００４０】
なお、貫通穴２３の場合であっても、切り欠き２３ａを設けたのと同様にキー４０の貫通穴２３の表面側の縁部とが接触しないように当該部分の肉厚を薄く構成することができる。また、上記実施形態においては、キー４０の表側に設けたＰＩＮＰＡＤ側キー摺動部４１とリアケース３１の摺動面３２とが摺動する態様について説明したが、キー４０とＰＩＮＰＡＤ３０の第１リブ３３とが摺動するように構成しても良い。なお、第１リブ３３の先端とキー４０との距離よりも貫通穴２３の表側の縁とキー４０との距離が短くなるように、第１リブ３３がキー４０側に突出していることが好ましい。この構成によれば、貫通穴２３の縁部にはキー４０の進退方向への摺動動作に伴う負荷が及ぶことを防ぐことができる。その場合でも、第１リブ３３と摺動面３２との両方にキー４０が摺接するように構成されると、キー４０の摺動動作においてキー４０が傾くことなどを防止することができる。
【符号の説明】
【００４１】
１０  携帯型決済端末装置
２０  下ケース
２１  摺動面（下ケース）
２３  貫通穴
３０  ＰＩＮＰＡＤ
３１  リアケース（ＰＩＮＰＡＤ）
３２  摺動面（ＰＩＮＰＡＤ）
４０  キー
４１  ＰＩＮＰＡＤ側キー摺動部
４２  下ケース摺動部
４３  ＰＩＮＰＡＤ側引っ掛かりリブ
４４  下ケース側引っ掛かりリブ
４５  第１弾性部材
４６  第２弾性部材
５０  制御基板
５１  側面押下式スイッチ
【図１】
2020119349.tif 000003
【図２】
2020119349.tif 000004
【図３】
2020119349.tif 000005
【図４】
2020119349.tif 000006
【図５】
2020119349.tif 000007
【図６】
2020119349.tif 000008